(57)【要約】      （修正有）【課題】超音波発信器が発する超音波を、超音波発信器から離れた動物忌避空間に放音することができる動物忌避装置を提供する。【解決手段】超音波発信器１に対し、Ｔ字状継手２ａ、２ｂと直管３ａ、３ｂ、３ｃ、３ｄ、３ｅ、３ｆ、３ｇと、延長継手４ａ、４ｂと、Ｌ字状継手５ａ、５ｂを適宜連結して超音波導波路を形成し、その開口が３か所の動物忌避空間６ａ，６ｂ、６ｃに向くようにし、更に各動物忌避空間に動物の侵入を検出するセンサー７ａ、７ｂ、７ｃを設けてセンサー出力に基づき制御手段８により超音波発信器１を一定時間駆動させる。【選択図】図１
0003215107.tif 000002
【実用新案登録請求の範囲】
【請求項１】
超音波導波路の開口の１つに超音波発信器の放音部を取り付け、残る開口を動物忌避空間に対向させることを特徴とする動物忌避装置。
【請求項２】
前記超音波導波路は、直管と、延長用継手、Ｌ字状継手又はＴ字状継手を連結して組立てることを特徴とする請求項１記載の動物忌避装置。
【請求項３】
前記動物忌避装置は、前記動物忌避空間における動物の侵入を検出するセンサーと、該センサーの出力に基づき一定時間前記超音波発信器を駆動する制御手段とを、設けることを特徴とする請求項１記載の動物忌避装置。
【考案の詳細な説明】
【技術分野】
【０００１】  本考案は、超音波により、天井や床下等の忌避空間に動物が侵入ことを阻止する動物忌避装置に関する。
【背景技術】
【０００２】  例えば、実用新案文献１には、排水管の掃除口の蓋に超音波発信器を取り付けて、排水管内に小動物が侵入することを阻止する技術が開示されている。また、特許文献１では、砂場の外枠を構成する管体内に超音波発信器を設けて砂場内に小動物が侵入することを阻止する技術が開示されている。
【先行技術文献】
【０００３】
【特許文献１】特開平７−３２２８０５号公報
【実用新案文献１】
実開昭５２−２７１７０号公報
【考案の概要】
【考案が解決しようとする課題】
【０００４】  しかし、実用新案文献１の技術は、あくまでも排水管というほぼ閉された空間における小動物の侵入を阻止するものであり、排水管の外の忌避空間における小動物に対する忌避効果はない。また、特許文献１の技術についても、砂場の外枠自体の内部空間に超音波を照射しても動物侵入空間である砂場内に超音波が漏れることすらなく、動物忌避機能は全く発揮されない。従って、超音波発信器が発する超音波を、超音波発信器から離れた小動物忌避空間に放音することはできない。
【課題を解決するための手段】
【０００５】  本考案の動物忌避装置は、超音波導波路の開口の１つに超音波発信器の放音部を取り付け、残る開口を動物忌避空間に対向させることを特徴とする。【０００６】  更に、本考案の動物忌避装置は、超音波導波路は、直管と、延長用継手、Ｌ字状継手又はＴ字状継手を連結して組立てることを特徴とする。【０００７】  また更に、本考案の動物忌避装置は、動物忌避空間における物体の動きを検出するセンサーと、センサーの出力に基づき一定期間超音波発信器を駆動する制御手段とを、設けることを特徴とする。
【考案の効果】
【０００８】  よって、本考案によれば、超音波発信器から離れた任意の動物忌避空間に対して超音波導波路を利用して超音波を伝達して放音することができる。
【図面の簡単な説明】
【０００９】
【図１】本考案の一実施例に係る超音波導波路の接続状態説明図である。
【図２】本考案の一実施例に係る超音波発信器とＴ字状継手の接続状態の説明図である。
【図３】本考案の一実施例に係る超音波発信器の外観図である。
【考案を実施するための形態】
【００１０】  以下、本考案を一実施例について説明する。図１は超音波導波路の接続状態説明図である。本実施例では、１台の超音波発信器１が発する超音波を、それぞれ場所の離れた第１忌避空間６ａと第２忌避空間６ｂと第３忌避空間６ｃに放音して、３か所の忌避空間にネズミ等の動物が侵入することを阻止しようとするものである。
【００１１】  具体的には、超音波発信器１を、まず第１Ｔ字状継手２ａに連結して超音波導波路を互いに反対の方向に分岐し、第１Ｔ字状継手２ａの一方の開口に第１直管３ａを連結し、更にその先に第１延長継手４ａを介して第２直管３ｃを連結しており、第２直管３ｃの他端の開口を第１忌避空間６ａに向けている。
また、第１Ｔ字状継手２ａの他方の開口には第３直管３ｂを連結し、更に第１Ｌ字状継手５ａを連結して超音波導波路の方向を９０°変更し、その先に第４直管３ｄを連結している。
【００１２】  この第４直管３ｄの他端には第２Ｔ字状継手２ｂを連結して、その開口を第２忌避空間６ｂに向けると共に、残る開口には第５直管３ｅを連結し、更にその先に第２延長継手４ｂを介して第６直管３ｆを連結している。第６直管３ｆの先には、第２Ｌ字状継手５ｂを連結して超音波導波路の方向を９０°変更し、その先に第７直管３ｇを連結して他端の開口を第３忌避空間６ｃに向けている。
【００１３】  従って、本実施例では、直管を延長継手やＴ字状継手やＬ字状継手を連結して超音波導波路を組み立てているが、これらの部材は全て塩化ビニール製の水道管で構成されており、その連結は通常水道管用の接着材で接着固定することにより、容易に外れることのないように固く接着固定される。また塩化ビニール製の水道管内面はフラットで固く、超音波を殆ど吸収することがなく、減衰の少ない超音波導波路として適している。
【００１４】  また、本実施例では、節電のため超音波発信器１を、いずれかの忌避空間に動きがあった場合に、一定時間作動させるよう構成されている。具体的には、各忌避空間にはそれぞれ、ネズミ等の侵入を撮影画像の変化を検出する第１センサー７ａ、第２センサー７ｂ、第３センサー７ｃがそれぞれ配備されており、各センサー出力を入力する制御手段８は、一定時間超音波発信器１を駆動しており、何れかの忌避空間に動物が侵入した直後に超音波が発生されるため驚くかまたは怖れて忌避空間より逃げ出すことになる。
【００１５】  尚、センサーが動物の種類を識別して識別情報も制御手段８に入力することができる場合は、超音波発信器１が発する超音波の周波数等を変更して、その動物が最も嫌う超音波を発することができる。また、超音波を発信しても動物が超音波に慣れて忌避エリアに長時間留まることがあるようになれば、制御手段８が超音波の音圧を変更したり周波数を変化させたり、超音波発信間隔を変化させることにより、動物が慣れないようにすることができる。制御手段８に表示ランプを設けて、どの忌避空間に動物が侵入したか表示することができれば、使用者がどの忌避空間に動物が侵入したかが把握でき、装置を設置したことに対する満足感を得ることができる。
【００１６】  尚、図３は超音波発信器１の外観を示している。放音部１ａの外周部分は本体から円錐の底部様に突き出しており、接続するのは開口部分２ｂである。図２は、放音部１ａを第１Ｔ字状継手２ａに差し込み、固定した状況を示している。第１Ｔ字状継手は、放音部１ａの開口部分１ｂの径に比し、第１Ｔ字状継手の接続開口部の径が大きいものを組み合わせて密着させている。
【００１７】  更に本実施例では、コンセントのある室内に超音波発信器を置いて塩ビの水道管の直管や継手を組み合わせて連結するだけで、通常コンセントのない天井や床下にまで、超音波を放音することができるばかりか、１台の超音波発信器で複数の忌避空間に対して超音波を放音することができる。
【００１８】本考案は、上述する実施例に限ることなく請求項に記載されている範囲で種々の形態を採ることができ、それらが本考案の技術的範囲に含まれることは、言を俟たない。
【符号の説明】
【００１９】  １    超音波発信器
１ａ  超音波発信器の放音部
１ｂ  超音波発信器の放音部の開口部分
２ａ、２ｂ    Ｔ字状継手
３ａ、３ｂ、３ｃ、３ｄ、３ｅ、３ｆ、３ｇ    直管
４ａ、４ｂ    延長継手
５ａ、５ｂ    Ｌ字状継手
６ａ、６ｂ、６ｃ    忌避空間
７ａ、７ｂ、７ｃ    センサー
８    制御手段
【図１】
0003215107.tif 000003
【図２】
0003215107.tif 000004
【図３】
0003215107.tif 000005